(57)【要約】【課題】回路規模や消費電力を削減することができるようにする。【解決手段】FEF区間検出部２５は、P2検出器２４からのFEF lengthおよびFEF intervalに基づいて、多重化信号におけるFEF区間を検出し、検出したFEF区間の情報を、T2フレーム復調部２６および情報出力端子２７に供給する。情報出力端子２７は、FEF区間の情報を、情報入力端子３３に出力する。FEF復調部３４は、AD変換器２２からの多重化信号のうち、情報入力端子３３からの情報が示すFEF区間がFEF部であるとして、FEF部を復調する。本発明は、異なる構造の信号が多重化された多重化信号を受信して、そのうちの少なくとも１つの信号を復調する信号処理装置に適用することができる。【選択図】図２
2011041086.tif 000002
【特許請求の範囲】
【請求項１】
第１のプリアンブル信号を有する以外は、異なる構造を有する複数の信号が多重化されている多重化信号から、前記第１のプリアンブル信号を検出する第１の検出手段と、
前記第１の検出手段により検出された前記第１のプリアンプル信号に含まれる前記複数の信号をそれぞれ判別するための情報が、第１の信号であることを示す場合、前記第１のプリアンブル信号に続く、第２のプリアンブル信号を検出する第２の検出手段と、
前記第２の検出手段により検出された前記第２のプリアンブル信号に含まれる情報に基づいて、前記多重化信号における第２の信号の区間を検出する区間検出手段と、
前記区間検出手段により検出された前記第２の信号の区間の情報を、前記多重化信号における前記第１の信号および前記第２の信号のうちの一方の信号を復調する他の信号処理装置に出力する区間情報出力手段と、
前記第１のプリアンブル信号に含まれる情報、前記第２のプリアンブル信号に含まれる情報、並びに、前記区間検出手段により検出された前記第２の信号の区間の情報に基づいて、前記多重化信号における前記第１の信号および前記第２の信号のうちの他方の信号を復調する復調手段と
を備える信号処理装置。
【請求項２】
前記多重化信号をデジタル信号に変換するＡＤ変換手段をさらに備える
請求項１に記載の信号処理装置。
【請求項３】
前記ＡＤ変換手段により変換された前記デジタル信号を前記他の信号処理装置に出力する信号出力手段をさらに備える
請求項２に記載の信号処理装置。
【請求項４】
前記第２のプリアンブル信号に含まれる情報を前記他の信号処理装置に出力する第１の情報出力手段をさらに備える
請求項１に記載の信号処理装置。
【請求項５】
前記第１のプリアンブル信号に含まれる情報を前記他の信号処理装置に出力する第２の情報出力手段をさらに備える
請求項４に記載の信号処理装置。
【請求項６】
信号処理装置が、
第１のプリアンブル信号を有する以外は、異なる構造を有する複数の信号が多重化されている多重化信号から、前記第１のプリアンブル信号を検出し、
検出された前記第１のプリアンプル信号に含まれる前記複数の信号をそれぞれ判別するための情報が、第１の信号であることを示す場合、前記第１のプリアンブル信号に続く、第２のプリアンブル信号を検出し、
検出された前記第２のプリアンブル信号に含まれる情報に基づいて、前記多重化信号における第２の信号の区間を検出し、
検出された前記第２の信号の区間の情報を、前記多重化信号における前記第１の信号および前記第２の信号のうちの一方の信号を復調する他の信号処理装置に出力し、
前記第１のプリアンブル信号に含まれる情報、前記第２のプリアンブル信号に含まれる情報、並びに、前記第２の信号の区間の情報に基づいて、前記多重化信号における前記第１の信号および前記第２の信号のうちの他方の信号を復調するステップを
含む信号処理方法。
【請求項７】
第１のプリアンブル信号を有する以外は、異なる構造を有する複数の信号が多重化されている多重化信号から検出された前記第１のプリアンブル信号に含まれる前記複数の信号をそれぞれ判別するための情報が、第１の信号であることを示す場合に、前記第１のプリアンブル信号に続く、第２のプリアンブル信号が検出されて、検出された前記第２のプリアンブル信号に含まれる情報に基づいて検出される前記多重化信号における第２の信号の区間の情報を、前記多重化信号における前記第１の信号および前記第２の信号のうちの一方の信号を復調する他の信号処理装置から入力する区間情報入力手段と、
前記情報入力手段により入力された前記第２の信号の区間の情報に基づいて、前記多重化信号における前記第１の信号および前記第２の信号のうちの他方の信号を復調する復調手段と
を備える信号処理装置。
【請求項８】
前記多重化信号をデジタル信号に変換するＡＤ変換手段をさらに備え、
前記復調手段は、前記ＡＤ変換手段により変換された前記デジタル信号を用いて、前記多重化信号における前記他方の信号を復調する
請求項７に記載の信号処理装置。
【請求項９】
前記他の信号処理装置から前記多重化信号が変換されたデジタル信号を入力する信号入力手段をさらに備え、
前記復調手段は、前記信号入力手段により入力された前記デジタル信号を用いて、前記多重化信号における前記他方の信号を復調する
請求項７に記載の信号処理装置。
【請求項１０】
前記第２のプリアンブル信号に含まれる情報を前記他の信号処理装置から入力する第１の情報入力手段をさらに備え、
前記復調手段は、前記第２のプリアンブル信号に含まれる情報にも基づいて、前記多重化信号における前記他方の信号を復調する
請求項７に記載の信号処理装置。
【請求項１１】
前記第１のプリアンブル信号に含まれる情報を前記他の信号処理装置から入力する第２の情報入力手段をさらに備え、
前記復調手段は、さらに、前記第１のプリアンブル信号に含まれる情報にも基づいて、前記多重化信号における前記他方の信号を復調する
請求項１０に記載の信号処理装置。
【請求項１２】
信号処理装置が、
第１のプリアンブル信号を有する以外は、異なる構造を有する複数の信号が多重化されている多重化信号から検出された前記第１のプリアンブル信号に含まれる前記複数の信号をそれぞれ判別するための情報が、第１の信号であることを示す場合に、前記第１のプリアンブル信号に続く、第２のプリアンブル信号が検出されて、検出された前記第２のプリアンブル信号に含まれる情報に基づいて検出される前記多重化信号における第２の信号の区間の情報を、前記多重化信号における前記第１の信号および前記第２の信号のうちの一方の信号を復調する他の信号処理装置から入力し、
入力された前記第２の信号の区間の情報に基づいて、前記多重化信号における前記第１の信号および前記第２の信号のうちの他方の信号を復調するステップ
を含む信号処理方法。
【請求項１３】
第１のプリアンブル信号を有する以外は、異なる構造を有する複数の信号が多重化されている多重化信号から、第１の信号および第２の信号のうちの一方の信号を取り出す処理を行う第１の信号処理部と、
前記多重化信号から、前記第１の信号および前記第２の信号のうちの他方を取り出す処理を行う第２の信号処理部と
を備え、
前記第１の信号処理部は、前記多重化信号から、前記第１のプリアンブル信号を検出する第１の検出手段と、
前記第１の検出手段により検出された前記第１のプリアンプル信号に含まれる前記複数の信号をそれぞれ判別するための情報が、第１の信号であることを示す場合、前記第１のプリアンブル信号に続く、第２のプリアンブル信号を検出する第２の検出手段と、
前記第２の検出手段により検出された前記第２のプリアンブル信号に含まれる情報に基づいて、前記多重化信号における第２の信号の区間を検出する区間検出手段と、
前記区間検出手段により検出された前記第２の信号の区間の情報を、前記第２の信号処理部に出力する区間情報出力手段と、
前記第１のプリアンブル信号に含まれる情報、前記第２のプリアンブル信号に含まれる情報、並びに、前記区間検出手段により検出された前記第２の信号の区間の情報に基づいて、前記多重化信号における前記一方の信号を復調する復調手段とを含み、
前記第２の信号処理部は、
前記第１の信号処理部から、前記第２の信号の区間の情報を入力する区間情報入力手段と、
前記区間情報入力手段により入力された前記第２の信号の区間の情報に基づいて、前記多重化信号における前記他方の信号を復調する復調手段とを含む
信号処理装置。
【請求項１４】
第１の信号処理部および第２の信号処理部を備える信号処理装置の信号処理方法において、
前記第１の信号処理部が、
第１のプリアンブル信号を有する以外は、異なる構造を有する複数の信号が多重化されている多重化信号から、前記第１のプリアンブル信号を検出し、
検出された前記第１のプリアンプル信号に含まれる前記複数の信号をそれぞれ判別するための情報が、第１の信号であることを示す場合、前記第１のプリアンブル信号に続く、第２のプリアンブル信号を検出し、
検出された前記第２のプリアンブル信号に含まれる情報に基づいて、前記多重化信号における第２の信号の区間を検出し、
検出された前記第２の信号の区間の情報を、前記第２の信号処理部に出力し、
前記第１のプリアンブル信号に含まれる情報、前記第２のプリアンブル信号に含まれる情報、並びに、前記第２の信号の区間の情報に基づいて、前記多重化信号における前記第１の信号および前記第２の信号のうちの一方の信号を復調するステップを含み、
前記第２の信号処理部が、
前記第１の信号処理部から、前記第２の信号の区間の情報を入力し、
入力された前記第２の信号の区間の情報に基づいて、前記多重化信号における前記第１の信号および前記第２の信号のうちの他方の信号を復調するステップを
含む信号処理方法。
【請求項１５】
伝送路を介して信号を取得する取得部と、
前記伝送路を介して取得した信号に対して、復調処理を少なくとも含む伝送路復号処理を施す伝送路復号処理部と
を含み、
前記伝送路を介して取得した信号は、第１のプリアンブル信号を有する以外は、異なる構造を有する複数の信号が多重化されている多重化信号であり、
前記伝送路復号処理部は、
前記多重化信号から、前記第１のプリアンブル信号を検出する第１の検出手段と、
前記第１の検出手段により検出された前記第１のプリアンプル信号に含まれる前記複数の信号をそれぞれ判別するための情報が、第１の信号であることを示す場合、前記第１のプリアンブル信号に続く、第２のプリアンブル信号を検出する第２の検出手段と、
前記第２の検出手段により検出された前記第２のプリアンブル信号に含まれる情報に基づいて、前記多重化信号における第２の信号の区間を検出する区間検出手段と、
前記区間検出手段により検出された前記第２の信号の区間の情報を、前記多重化信号における前記第１の信号および前記第２の信号のうちの一方の信号を復調する他の装置に出力する区間情報出力手段と、
前記第１のプリアンブル信号に含まれる情報、前記第２のプリアンブル信号に含まれる情報、並びに、前記区間検出手段により検出された前記第２の信号の区間の情報に基づいて、前記多重化信号における前記第１の信号および前記第２の信号のうちの他方の信号を復調する復調手段と
を備える受信システム。
【請求項１６】
伝送路を介して取得した信号に対して、復調処理を少なくとも含む伝送路復号処理を施す伝送路復号処理部と、
前記伝送路復号処理が施された信号に対して、圧縮された情報を元の情報に伸長する処理を少なくとも含む情報源復号処理を施す情報源復号処理部と
を含み、
前記伝送路を介して取得した信号は、第１のプリアンブル信号を有する以外は、異なる構造を有する複数の信号が多重化されている多重化信号であり、
前記伝送路復号処理部は、
前記多重化信号から、前記第１のプリアンブル信号を検出する第１の検出手段と、
前記第１の検出手段により検出された前記第１のプリアンプル信号に含まれる前記複数の信号をそれぞれ判別するための情報が、第１の信号であることを示す場合、前記第１のプリアンブル信号に続く、第２のプリアンブル信号を検出する第２の検出手段と、
前記第２の検出手段により検出された前記第２のプリアンブル信号に含まれる情報に基づいて、前記多重化信号における第２の信号の区間を検出する区間検出手段と、
前記区間検出手段により検出された前記第２の信号の区間の情報を、前記多重化信号における前記第１の信号および前記第２の信号のうちの一方の信号を復調する他の装置に出力する区間情報出力手段と、
前記第１のプリアンブル信号に含まれる情報、前記第２のプリアンブル信号に含まれる情報、並びに、前記区間検出手段により検出された前記第２の信号の区間の情報に基づいて、前記多重化信号における前記第１の信号および前記第２の信号のうちの他方の信号を復調する復調手段と
を備える受信システム。
【請求項１７】
伝送路を介して取得した信号に対して、復調処理を少なくとも含む伝送路復号処理を施す伝送路復号処理部と、
前記伝送路復号処理が施された信号に基づいて、画像又は音声を出力する出力部と
を含み、
前記伝送路を介して取得した信号は、第１のプリアンブル信号を有する以外は、異なる構造を有する複数の信号が多重化されている多重化信号であり、
前記伝送路復号処理部は、
前記多重化信号から、前記第１のプリアンブル信号を検出する第１の検出手段と、
前記第１の検出手段により検出された前記第１のプリアンプル信号に含まれる前記複数の信号をそれぞれ判別するための情報が、第１の信号であることを示す場合、前記第１のプリアンブル信号に続く、第２のプリアンブル信号を検出する第２の検出手段と、
前記第２の検出手段により検出された前記第２のプリアンブル信号に含まれる情報に基づいて、前記多重化信号における第２の信号の区間を検出する区間検出手段と、
前記区間検出手段により検出された前記第２の信号の区間の情報を、前記多重化信号における前記第１の信号および前記第２の信号のうちの一方の信号を復調する他の装置に出力する区間情報出力手段と、
前記第１のプリアンブル信号に含まれる情報、前記第２のプリアンブル信号に含まれる情報、並びに、前記区間検出手段により検出された前記第２の信号の区間の情報に基づいて、前記多重化信号における前記第１の信号および前記第２の信号のうちの他方の信号を復調する復調手段と
を備える受信システム。
【請求項１８】
伝送路を介して取得した信号に対して、復調処理を少なくとも含む伝送路復号処理を施す伝送路復号処理部と、
前記伝送路復号処理が施された信号を記録する記録部と
を含み、
前記伝送路を介して取得した信号は、第１のプリアンブル信号を有する以外は、異なる構造を有する複数の信号が多重化されている多重化信号であり、
前記伝送路復号処理部は、
前記多重化信号から、前記第１のプリアンブル信号を検出する第１の検出手段と、
前記第１の検出手段により検出された前記第１のプリアンプル信号に含まれる前記複数の信号をそれぞれ判別するための情報が、第１の信号であることを示す場合、前記第１のプリアンブル信号に続く、第２のプリアンブル信号を検出する第２の検出手段と、
前記第２の検出手段により検出された前記第２のプリアンブル信号に含まれる情報に基づいて、前記多重化信号における第２の信号の区間を検出する区間検出手段と、
前記区間検出手段により検出された前記第２の信号の区間の情報を、前記多重化信号における前記第１の信号および前記第２の信号のうちの一方の信号を復調する他の装置に出力する区間情報出力手段と、
前記第１のプリアンブル信号に含まれる情報、前記第２のプリアンブル信号に含まれる情報、並びに、前記区間検出手段により検出された前記第２の信号の区間の情報に基づいて、前記多重化信号における前記第１の信号および前記第２の信号のうちの他方の信号を復調する復調手段と
を備える受信システム。
【発明の詳細な説明】
【技術分野】
【０００１】
本発明は、信号処理装置および方法、並びに受信システムに関し、特に、回路規模や消費電力を削減できるようにした信号処理装置および方法、並びに受信システムに関する。
【背景技術】
【０００２】
近年、デジタル信号を伝送する方式として、直交周波数分割多重（OFDM）方式と呼ばれる変調方式が用いられている。このOFDM方式は、伝送帯域内に多数の直交する副搬送波を用意し、それぞれの副搬送波の振幅および位相にデータを割り当て、PSK（Phase Shift Keying）やQAM（Quadrature Amplitude Modulation）によりデジタル変調する方式である。OFDM時間領域信号は、OFDMシンボルと呼ばれるシンボル単位で伝送される。
【０００３】
OFDM方式は、マルチパス妨害の影響を強く受ける地上波デジタル放送に適用されることが多い。このようなOFDM方式を採用した地上波デジタル放送としては、例えばDVB-T（Digital Video Broadcasting-Terrestrial）やISDB-T（Integrated Services Digital Broadcasting-Terrestrial）等の規格がある。
【０００４】
ところで、ETSI(European Telecommunication Standard Institute: 欧州電気通信標準化機構)により、次世代の地上デジタル放送の規格としてDVB(Digital Video Broadcasting)-T2が制定中である（非特許文献１参照）。
【０００５】
DVB-T2においては、T2フレームと称される伝送フレーム単位にデータが伝送されるようになされている。また、DVB-T2においては、そのT2フレームに、T2フレームとは別の異なる構造を有するFEF(Future Extension Frame)と呼ばれる信号が多重化されて伝送されるようになされている。
【０００６】
一般に、異なる構造を有する複数の方式の信号が多重化されて送信されている信号を受信する場合、各々の方式の受信装置は、各々の信号を独立して検出し、受信を行う。DVB‐T2においても、例えば、T2フレームを受信する受信装置とFEFを受信する受信装置は、各々の信号を独立して検出し、受信を行う。
【０００７】
図１は、DVB‐T2におけるフレーム構成を示す図である。
【０００８】
DVB‐T2においては、図1に示されるように、T2フレームとFEF部(FEF part)とが多重化されて送信可能になされている。すなわち、FEF部は、複数のT2フレームでなる一定間隔(FEF interval)毎に、一定の長さ(FEF length)で、T2フレームに多重化されて送信されてくる。
【０００９】
T2フレームとFEF部は、P1のOFDMシンボル（以下、単にシンボルとも称する）を有している。P1は、後述するP2とともに、それぞれプリアンブル(preamble)信号とされ、そのプリアンブル信号には、OFDM信号の復調等の処理に必要な情報が含まれる。
【００１０】
P1には、そのフレームがT2フレームであるのか、FEF部であるのかを判別するための判別情報がシグナリング(Signaling：誤り訂正符号化)されている。
【００１１】
したがって、T2フレームを受信する受信装置およびFEFを受信する受信装置は、P1に含まれる情報を取得することによって、T2フレームおよびFEF部を取り出して復調することができ、また、他方からの影響を排除して復調性能を向上させることができる。
【００１２】
また、P1には、そのフレームがT2フレームの場合、さらに、P1以外のシンボルのFFT演算を行うときのFFTサイズ(１回のFFT演算の対象とするサンプル（シンボル）の数)等の復調処理に必要な情報がシグナリングされている。すなわち、そのフレームがT2フレームの場合、P1は、P2の復調に必要な伝送方式やFFTサイズ等を含むので、P2を復調するには、P1を復調する必要がある。
【００１３】
T2フレームは、さらに、P1のシンボルの後に続いて、順にP2のシンボル、Normalと称されるシンボル、およびFC（Flame Closing）と称されるシンボルを有している。
【００１４】
なお、OFDMシンボルは、一般に、変調時にIFFTが行われる信号期間である有効シンボルと、その有効シンボルの後半の一部の波形が、そのまま、有効シンボルの先頭にコピーされたガードインターバルとから構成される。なお、図１においてGIと記述された部分がガードインターバルを表しており、P1は、GIを有していない。
【００１５】
P2には、L1プレ(L1 PRE)、及び、L1ポスト(L1 POST)がシグナリングされる。
【００１６】
L1プレは、L1ポストの復号を行うのに必要な情報を含む。L1ポストは、各受信装置が、物理レイヤ（のlayer pipes）にアクセスするのに必要な情報を含む。
【００１７】
ここで、L1プレには、GI長、どのシンボル（サブキャリア）に、既知の信号であるパイロット信号が含まれるかのパイロット信号の配置を表すパイロットパターン(PP)、OFDM信号を伝送する伝送帯域の拡張の有無(BWT_EXT)、１つのT2フレームに含まれるOFDMシンボルの数(NDSYM)等が含まれる。L1プレに含まれるこれらの情報は、データ（FCを含む）のシンボルを復調するのに必要な情報となっている。
【００１８】
また、L1プレには、さらに、図１に示されるFEF length、FEF intervalといったFEF区間をより正確に示した情報や、FEF_TypeといったFEFのタイプを示す関連情報も含まれている。
【００１９】
したがって、T2フレームを受信する受信装置およびFEFを受信する受信装置は、P2に含まれる情報を取得することによって、T2フレームおよびFEF部をより正確に取り出して復調することができる。また、他方からの影響をより正確に排除して復調性能を向上させることができる。
【００２０】
なお、図１の例では、T2フレームに、２個のP2が配置されているが、T2フレームには、１個乃至１６個のOFDMシンボルのP2を配置することができる。
【先行技術文献】
【非特許文献】
【００２１】
【非特許文献１】DVB BlueBook A122 Rev.1，Frame structure channel coding and modulation for a second generation digital terrestrial television broadcasting system (DVB-T2) 平成２０年９月１日、DVBのホームページ、［平成２１年８月５日検索］、インターネット＜URL： http://www.dvb.org/technology/standards/＞
【発明の概要】
【発明が解決しようとする課題】
【００２２】
一般に、異なる構造を有する複数の方式の信号が多重化されて送信されている信号を、各々の方式の受信装置が、各々の信号を独立して検出し、受信を行う場合、各々の方式の受信装置が、それぞれ、検波、同期再生、復調を行う仕組みを持つ必要がある。
【００２３】
DVB-T2においても例外ではなく、T2フレームを受信する受信装置においても、FEFを受信する受信装置においても、受信した多重化信号から、同期再生および復調を行う仕組みをそれぞれ持つ必要がある。
【００２４】
しかしながら、このような仕組みのうち、受信した多重化信号からP1およびP2を検出して、それぞれシグナリングされている情報を取得するなどの処理は、T2フレームおよびFEFの各受信装置において同じであり、重複してしまっていた。
【００２５】
本発明はこのような状況に鑑みてなされたものであり、回路規模や消費電力を削減することができるようにするものである。
【課題を解決するための手段】
【００２６】
本発明の第１の側面の信号処理装置は、第１のプリアンブル信号を有する以外は、異なる構造を有する複数の信号が多重化されている多重化信号から、前記第１のプリアンブル信号を検出する第１の検出手段と、前記第１の検出手段により検出された前記第１のプリアンプル信号に含まれる前記複数の信号をそれぞれ判別するための情報が、第１の信号であることを示す場合、前記第１のプリアンブル信号に続く、第２のプリアンブル信号を検出する第２の検出手段と、前記第２の検出手段により検出された前記第２のプリアンブル信号に含まれる情報に基づいて、前記多重化信号における第２の信号の区間を検出する区間検出手段と、前記区間検出手段により検出された前記第２の信号の区間の情報を、前記多重化信号における前記第１の信号および前記第２の信号のうちの一方の信号を復調する他の信号処理装置に出力する区間情報出力手段と、前記第１のプリアンブル信号に含まれる情報、前記第２のプリアンブル信号に含まれる情報、並びに、前記区間検出手段により検出された前記第２の信号の区間の情報に基づいて、前記多重化信号における前記第１の信号および前記第２の信号のうちの他方の信号を復調する復調手段とを備える。
【００２７】
前記多重化信号をデジタル信号に変換するＡＤ変換手段をさらに備えることができる。
【００２８】
前記ＡＤ変換手段により変換された前記デジタル信号を前記他の信号処理装置に出力する信号出力手段をさらに備えることができる。
【００２９】
前記第２のプリアンブル信号に含まれる情報を前記他の信号処理装置に出力する第１の情報出力手段をさらに備えることができる。
【００３０】
前記第１のプリアンブル信号に含まれる情報を前記他の信号処理装置に出力する第２の情報出力手段をさらに備えることができる。
【００３１】
本発明の第１の側面の信号処理方法は、信号処理装置が、第１のプリアンブル信号を有する以外は、異なる構造を有する複数の信号が多重化されている多重化信号から、前記第１のプリアンブル信号を検出し、検出された前記第１のプリアンプル信号に含まれる前記複数の信号をそれぞれ判別するための情報が、第１の信号であることを示す場合、前記第１のプリアンブル信号に続く、第２のプリアンブル信号を検出し、検出された前記第２のプリアンブル信号に含まれる情報に基づいて、前記多重化信号における第２の信号の区間を検出し、検出された前記第２の信号の区間の情報を、前記多重化信号における前記第１の信号および前記第２の信号のうちの一方の信号を復調する他の信号処理装置に出力し、前記第１のプリアンブル信号に含まれる情報、前記第２のプリアンブル信号に含まれる情報、並びに、前記第２の信号の区間の情報に基づいて、前記多重化信号における前記第１の信号および前記第２の信号のうちの他方の信号を復調するステップを含む。
【００３２】
本発明の第２の側面の信号処理装置は、第１のプリアンブル信号を有する以外は、異なる構造を有する複数の信号が多重化されている多重化信号から検出された前記第１のプリアンブル信号に含まれる前記複数の信号をそれぞれ判別するための情報が、第１の信号であることを示す場合に、前記第１のプリアンブル信号に続く、第２のプリアンブル信号が検出されて、検出された前記第２のプリアンブル信号に含まれる情報に基づいて検出される前記多重化信号における第２の信号の区間の情報を、前記多重化信号における前記第１の信号および前記第２の信号のうちの一方の信号を復調する他の信号処理装置から入力する区間情報入力手段と、前記情報入力手段により入力された前記第２の信号の区間の情報に基づいて、前記多重化信号における前記第１の信号および前記第２の信号のうちの他方の信号を復調する復調手段とを備える。
【００３３】
前記多重化信号をデジタル信号に変換するＡＤ変換手段をさらに備え、前記復調手段は、前記ＡＤ変換手段により変換された前記デジタル信号を用いて、前記多重化信号における前記他方の信号を復調することができる。
【００３４】
前記他の信号処理装置から前記多重化信号が変換されたデジタル信号を入力する信号入力手段をさらに備え、前記復調手段は、前記信号入力手段により入力された前記デジタル信号を用いて、前記多重化信号における前記他方の信号を復調することができる。
【００３５】
前記第２のプリアンブル信号に含まれる情報を前記他の信号処理装置から入力する第１の情報入力手段をさらに備え、前記復調手段は、前記第２のプリアンブル信号に含まれる情報にも基づいて、前記多重化信号における前記他方の信号を復調することができる。
【００３６】
前記第１のプリアンブル信号に含まれる情報を前記他の信号処理装置から入力する第２の情報入力手段をさらに備え、前記復調手段は、さらに、前記第１のプリアンブル信号に含まれる情報にも基づいて、前記多重化信号における前記他方の信号を復調することができる。
【００３７】
本発明の第２の側面の信号処理方法は、信号処理装置が、第１のプリアンブル信号を有する以外は、異なる構造を有する複数の信号が多重化されている多重化信号から検出された前記第１のプリアンブル信号に含まれる前記複数の信号をそれぞれ判別するための情報が、第１の信号であることを示す場合に、前記第１のプリアンブル信号に続く、第２のプリアンブル信号が検出されて、検出された前記第２のプリアンブル信号に含まれる情報に基づいて検出される前記多重化信号における第２の信号の区間の情報を、前記多重化信号における前記第１の信号および前記第２の信号のうちの一方の信号を復調する他の信号処理装置から入力し、入力された前記第２の信号の区間の情報に基づいて、前記多重化信号における前記第１の信号および前記第２の信号のうちの他方の信号を復調するステップを含む。
【００３８】
本発明の第３の側面の信号処理装置は、第１のプリアンブル信号を有する以外は、異なる構造を有する複数の信号が多重化されている多重化信号から、第１の信号および第２の信号のうちの一方の信号を取り出す処理を行う第１の信号処理部と、前記多重化信号から、前記第１の信号および前記第２の信号のうちの他方を取り出す処理を行う第２の信号処理部とを備え、前記第１の信号処理部は、前記多重化信号から、前記第１のプリアンブル信号を検出する第１の検出手段と、前記第１の検出手段により検出された前記第１のプリアンプル信号に含まれる前記複数の信号をそれぞれ判別するための情報が、第１の信号であることを示す場合、前記第１のプリアンブル信号に続く、第２のプリアンブル信号を検出する第２の検出手段と、前記第２の検出手段により検出された前記第２のプリアンブル信号に含まれる情報に基づいて、前記多重化信号における第２の信号の区間を検出する区間検出手段と、前記区間検出手段により検出された前記第２の信号の区間の情報を、前記第２の信号処理部に出力する区間情報出力手段と、前記第１のプリアンブル信号に含まれる情報、前記第２のプリアンブル信号に含まれる情報、並びに、前記区間検出手段により検出された前記第２の信号の区間の情報に基づいて、前記多重化信号における前記一方の信号を復調する復調手段とを含み、前記第２の信号処理部は、前記第１の信号処理部から、前記第２の信号の区間の情報を入力する区間情報入力手段と、前記区間情報入力手段により入力された前記第２の信号の区間の情報に基づいて、前記多重化信号における前記他方の信号を復調する復調手段とを含む。
【００３９】
本発明の第３の側面の信号処理方法は、第１の信号処理部および第２の信号処理部を備える信号処理装置の信号処理方法において、前記第１の信号処理部が、第１のプリアンブル信号を有する以外は、異なる構造を有する複数の信号が多重化されている多重化信号から、前記第１のプリアンブル信号を検出し、検出された前記第１のプリアンプル信号に含まれる前記複数の信号をそれぞれ判別するための情報が、第１の信号であることを示す場合、前記第１のプリアンブル信号に続く、第２のプリアンブル信号を検出し、検出された前記第２のプリアンブル信号に含まれる情報に基づいて、前記多重化信号における第２の信号の区間を検出し、検出された前記第２の信号の区間の情報を、前記第２の信号処理部に出力し、前記第１のプリアンブル信号に含まれる情報、前記第２のプリアンブル信号に含まれる情報、並びに、前記第２の信号の区間の情報に基づいて、前記多重化信号における前記第１の信号および前記第２の信号のうちの一方の信号を復調するステップを含み、前記第２の信号処理部が、前記第１の信号処理部から、前記第２の信号の区間の情報を入力し、入力された前記第２の信号の区間の情報に基づいて、前記多重化信号における前記第１の信号および前記第２の信号のうちの他方の信号を復調するステップを含む。
【００４０】
本発明の第４の側面の受信システムは、伝送路を介して信号を取得する取得部と、前記伝送路を介して取得した信号に対して、復調処理を少なくとも含む伝送路復号処理を施す伝送路復号処理部とを含み、前記伝送路を介して取得した信号は、第１のプリアンブル信号を有する以外は、異なる構造を有する複数の信号が多重化されている多重化信号であり、前記伝送路復号処理部は、前記多重化信号から、前記第１のプリアンブル信号を検出する第１の検出手段と、前記第１の検出手段により検出された前記第１のプリアンプル信号に含まれる前記複数の信号をそれぞれ判別するための情報が、第１の信号であることを示す場合、前記第１のプリアンブル信号に続く、第２のプリアンブル信号を検出する第２の検出手段と、前記第２の検出手段により検出された前記第２のプリアンブル信号に含まれる情報に基づいて、前記多重化信号における第２の信号の区間を検出する区間検出手段と、前記区間検出手段により検出された前記第２の信号の区間の情報を、前記多重化信号における前記第１の信号および前記第２の信号のうちの一方の信号を復調する他の装置に出力する区間情報出力手段と、前記第１のプリアンブル信号に含まれる情報、前記第２のプリアンブル信号に含まれる情報、並びに、前記区間検出手段により検出された前記第２の信号の区間の情報に基づいて、前記多重化信号における前記第１の信号および前記第２の信号のうちの他方の信号を復調する復調手段とを備える。
【００４１】
本発明の第５の側面の受信システムは、伝送路を介して取得した信号に対して、復調処理を少なくとも含む伝送路復号処理を施す伝送路復号処理部と、前記伝送路復号処理が施された信号に対して、圧縮された情報を元の情報に伸長する処理を少なくとも含む情報源復号処理を施す情報源復号処理部とを含み、前記伝送路を介して取得した信号は、第１のプリアンブル信号を有する以外は、異なる構造を有する複数の信号が多重化されている多重化信号であり、前記伝送路復号処理部は、前記多重化信号から、前記第１のプリアンブル信号を検出する第１の検出手段と、前記第１の検出手段により検出された前記第１のプリアンプル信号に含まれる前記複数の信号をそれぞれ判別するための情報が、第１の信号であることを示す場合、前記第１のプリアンブル信号に続く、第２のプリアンブル信号を検出する第２の検出手段と、前記第２の検出手段により検出された前記第２のプリアンブル信号に含まれる情報に基づいて、前記多重化信号における第２の信号の区間を検出する区間検出手段と、前記区間検出手段により検出された前記第２の信号の区間の情報を、前記多重化信号における前記第１の信号および前記第２の信号のうちの一方の信号を復調する他の装置に出力する区間情報出力手段と、前記第１のプリアンブル信号に含まれる情報、前記第２のプリアンブル信号に含まれる情報、並びに、前記区間検出手段により検出された前記第２の信号の区間の情報に基づいて、前記多重化信号における前記第１の信号および前記第２の信号のうちの他方の信号を復調する復調手段とを備える。
【００４２】
本発明の第６の側面の受信システムは、伝送路を介して取得した信号に対して、復調処理を少なくとも含む伝送路復号処理を施す伝送路復号処理部と、前記伝送路復号処理が施された信号に基づいて、画像又は音声を出力する出力部とを含み、前記伝送路を介して取得した信号は、第１のプリアンブル信号を有する以外は、異なる構造を有する複数の信号が多重化されている多重化信号であり、前記伝送路復号処理部は、前記多重化信号から、前記第１のプリアンブル信号を検出する第１の検出手段と、前記第１の検出手段により検出された前記第１のプリアンプル信号に含まれる前記複数の信号をそれぞれ判別するための情報が、第１の信号であることを示す場合、前記第１のプリアンブル信号に続く、第２のプリアンブル信号を検出する第２の検出手段と、前記第２の検出手段により検出された前記第２のプリアンブル信号に含まれる情報に基づいて、前記多重化信号における第２の信号の区間を検出する区間検出手段と、前記区間検出手段により検出された前記第２の信号の区間の情報を、前記多重化信号における前記第１の信号および前記第２の信号のうちの一方の信号を復調する他の装置に出力する区間情報出力手段と、前記第１のプリアンブル信号に含まれる情報、前記第２のプリアンブル信号に含まれる情報、並びに、前記区間検出手段により検出された前記第２の信号の区間の情報に基づいて、前記多重化信号における前記第１の信号および前記第２の信号のうちの他方の信号を復調する復調手段とを備える。
【００４３】
本発明の第７の側面の受信システムは、伝送路を介して取得した信号に対して、復調処理を少なくとも含む伝送路復号処理を施す伝送路復号処理部と、前記伝送路復号処理が施された信号を記録する記録部とを含み、前記伝送路を介して取得した信号は、第１のプリアンブル信号を有する以外は、異なる構造を有する複数の信号が多重化されている多重化信号であり、前記伝送路復号処理部は、前記多重化信号から、前記第１のプリアンブル信号を検出する第１の検出手段と、前記第１の検出手段により検出された前記第１のプリアンプル信号に含まれる前記複数の信号をそれぞれ判別するための情報が、第１の信号であることを示す場合、前記第１のプリアンブル信号に続く、第２のプリアンブル信号を検出する第２の検出手段と、前記第２の検出手段により検出された前記第２のプリアンブル信号に含まれる情報に基づいて、前記多重化信号における第２の信号の区間を検出する区間検出手段と、前記区間検出手段により検出された前記第２の信号の区間の情報を、前記多重化信号における前記第１の信号および前記第２の信号のうちの一方の信号を復調する他の装置に出力する区間情報出力手段と、前記第１のプリアンブル信号に含まれる情報、前記第２のプリアンブル信号に含まれる情報、並びに、前記区間検出手段により検出された前記第２の信号の区間の情報に基づいて、前記多重化信号における前記第１の信号および前記第２の信号のうちの他方の信号を復調する復調手段とを備える。
【００４４】
本発明の第１の側面においては、第１のプリアンブル信号を有する以外は、異なる構造を有する複数の信号が多重化されている多重化信号から、前記第１のプリアンブル信号が検出され、検出された前記第１のプリアンプル信号に含まれる前記複数の信号をそれぞれ判別するための情報が、第１の信号であることを示す場合、前記第１のプリアンブル信号に続く、第２のプリアンブル信号が検出され、検出された前記第２のプリアンブル信号に含まれる情報に基づいて、前記多重化信号における第２の信号の区間が検出される。そして、検出された前記第２の信号の区間の情報が、前記多重化信号における前記第１の信号および前記第２の信号のうちの一方の信号を復調する他の信号処理装置に出力され、前記第１のプリアンブル信号に含まれる情報、前記第２のプリアンブル信号に含まれる情報、並びに、前記第２の信号の区間の情報に基づいて、前記多重化信号における前記第１の信号および前記第２の信号のうちの他方の信号が復調される。
【００４５】
本発明の第２の側面においては、第１のプリアンブル信号を有する以外は、異なる構造を有する複数の信号が多重化されている多重化信号から検出された前記第１のプリアンブル信号に含まれる前記複数の信号をそれぞれ判別するための情報が、第１の信号であることを示す場合に、前記第１のプリアンブル信号に続く、第２のプリアンブル信号が検出されて、検出された前記第２のプリアンブル信号に含まれる情報に基づいて検出される前記多重化信号における第２の信号の区間の情報が、前記多重化信号における前記第１の信号および前記第２の信号のうちの一方の信号を復調する他の信号処理装置から入力される。そして、入力された前記第２の信号の区間の情報に基づいて、前記多重化信号における前記第１の信号および前記第２の信号のうちの他方の信号が復調される。
【００４６】
本発明の第３の側面においては、第１の信号処理部により、第１のプリアンブル信号を有する以外は、異なる構造を有する複数の信号が多重化されている多重化信号から、前記第１のプリアンブル信号が検出され、検出された前記第１のプリアンプル信号に含まれる前記複数の信号をそれぞれ判別するための情報が、第１の信号であることを示す場合、前記第１のプリアンブル信号に続く、第２のプリアンブル信号が検出され、検出された前記第２のプリアンブル信号に含まれる情報に基づいて、前記多重化信号における第２の信号の区間が検出される。そして、検出された前記第２の信号の区間の情報が、第２の信号処理部に出力され、前記第１のプリアンブル信号に含まれる情報、前記第２のプリアンブル信号に含まれる情報、並びに、前記第２の信号の区間の情報に基づいて、前記多重化信号における前記第１の信号および前記第２の信号のうちの一方の信号が復調される。また前記第２の信号処理部により、前記第１の信号処理部から、前記第２の信号の区間の情報が入力され、入力された前記第２の信号の区間の情報に基づいて、前記多重化信号における前記第１の信号および前記第２の信号のうちの他方の信号が復調される。
【００４７】
本発明の第４乃至７の側面においては、第１のプリアンブル信号を有する以外は、異なる構造を有する複数の信号が多重化されている多重化信号から、前記第１のプリアンブル信号が検出され、検出された前記第１のプリアンプル信号に含まれる前記複数の信号をそれぞれ判別するための情報が、第１の信号であることを示す場合、前記第１のプリアンブル信号に続く、第２のプリアンブル信号が検出され、検出された前記第２のプリアンブル信号に含まれる情報に基づいて、前記多重化信号における第２の信号の区間が検出される。そして、検出された前記第２の信号の区間の情報が、前記多重化信号における前記第１の信号および前記第２の信号のうちの一方の信号を復調する他の装置に出力され、前記第１のプリアンブル信号に含まれる情報、前記第２のプリアンブル信号に含まれる情報、並びに、前記第２の信号の区間の情報に基づいて、前記多重化信号における前記第１の信号および前記第２の信号のうちの他方の信号が復調される。
【００４８】
信号処理装置は、独立した装置であってもよいし、１つの装置を構成している内部ブロックであってもよい。
【００４９】
また、プログラムは、伝送媒体を介して伝送することにより、または、記録媒体に記録して提供することができる。
【発明の効果】
【００５０】
本発明によれば、回路規模や消費電力を削減することができる。また、本発明によれば、多重化された信号を、効率的に復調することができる。
【図面の簡単な説明】
【００５１】
【図１】DVB‐T2におけるフレーム構成を示す図である。
【図２】本発明を適用した信号処理システムの第１実施の形態を示す構成図である。
【図３】T2フレーム信号処理装置の変調処理を説明するフローチャートである。
【図４】FEF信号処理装置の変調処理を説明するフローチャートである。
【図５】本発明を適用した信号処理システムの第２実施の形態を示す構成図である。
【図６】T2フレーム信号処理装置の変調処理の他の例を説明するフローチャートである。
【図７】FEF信号処理装置の変調処理の他の例を説明するフローチャートである。
【図８】本発明を適用した信号処理システムの第３実施の形態を示す構成図である。
【図９】T2フレーム信号処理装置の変調処理のさらに他の例を説明するフローチャートである。
【図１０】FEF信号処理装置の変調処理のさらに他の例を説明するフローチャートである。
【図１１】本発明を適用した信号処理システムの第４実施の形態を示す構成図である。
【図１２】本発明を適用した信号処理システムの第５実施の形態を示す構成図である。
【図１３】本発明を適用した受信システムの第１実施の形態の構成例を示すブロック図である。
【図１４】本発明を適用した受信システムの第２実施の形態の構成例を示すブロック図である。
【図１５】本発明を適用した受信システムの第３実施の形態の構成例を示すブロック図である。
【図１６】コンピュータのハードウエアの構成例を示すブロック図である。
【発明を実施するための形態】
【００５２】
以下、本発明が適用される信号処理装置の実施の形態として、第１の実施の形態と第２の実施の形態とについて説明する。なお、説明は以下の順序で行う。
１．第１の実施の形態(信号処理システムとして構成される例)
２．第２の実施の形態(受信システムとして構成される例)
【００５３】
＜１．第１の実施の形態＞
［信号処理システムの構成例］
図２は、本発明を適用した信号処理システムの第１実施の形態の構成例を示すブロック図である。
【００５４】
図２の信号処理システム１においては、上述した図１に示されるように、DVB(Digital Video Broadcasting)-T2において採用されるT2フレームにFEF(Future Extension Frame)部(part)が多重化されて送信されてくる信号が受信される。すなわち、信号処理システム１は、図１のT2フレームとFEF部のように複数の異なる構造の信号が多重化されている多重化信号を受信し、その多重化信号から、T2フレームおよびFEF部をそれぞれ取り出す処理を行う。
【００５５】
信号処理システム１は、アンテナ１１、T2フレーム信号処理装置１２、およびFEF信号処理装置１３により構成される。T2フレーム信号処理装置１２およびFEF信号処理装置１３は、例えば、テレビジョン受像機などのLSIなどで構成される。
【００５６】
アンテナ１１は、T2フレームおよびFEF部が多重化されている多重化信号を受信し、その多重化信号を、T2フレーム信号処理装置１２およびFEF信号処理装置１３にそれぞれ供給する。
【００５７】
T2フレーム信号処理装置１２は、信号入力端子２１、AD(Analog Digital)変換器２２、P1検出器２３、P2検出器２４、FEF区間検出部２５、T2フレーム復調部２６、および情報出力端子２７により構成される。
【００５８】
信号入力端子２１は、アンテナ１１からの多重化信号を入力し、AD変換器２２に供給する。AD変換器２２は、受信したアナログの多重化信号を、デジタルの多重化信号に変換し、P1検出器２３、P2検出器２４、およびT2フレーム復調部２６に供給する。
【００５９】
P1検出器２３は、AD変換器２２からの多重化信号に含まれるP1を検出する。例えば、P1検出器２３は、P1が自己のコピーを含んでいることを利用して、相関ピークを観測することでP1の位置を検出することができる。
【００６０】
このP1は、図１に示されるように、T2フレームにも、FEF部にも存在する。すなわち、T2フレームとFEF部は、P1を有する以外は、異なる構造を有する信号である。
【００６１】
P1には、例えば、そのフレームがT2フレームであるのか、FEF部であるのかを判別するための判別情報がシグナリング(Signaling：誤り訂正符号化)されている。また、P1には、そのフレームがT2フレームの場合、さらに、P1以外のシンボルのFFT演算を行うときのFFTサイズ(１回のFFT演算の対象とするサンプル（シンボル）の数)等の復調処理に必要な情報がシグナリングされている。
【００６２】
P1検出器２３は、P1に含まれる情報およびP1の位置情報（以下、まとめてP1情報とも称する）を取得し、取得したP1情報を、P2検出器２４、およびT2フレーム復調部２６に供給する。また、P1検出器２３は、P1情報（具体的には、P1の位置情報）を、FEF区間検出部２５に供給する。
【００６３】
P2検出器２４は、P1に含まれる判別情報がT2フレームであることを示す場合、P1に含まれる復調処理に必要な情報に基づき、AD変換器２２からの多重化信号に含まれるP2を検出する。P2検出器２４は、P1に含まれる判別情報がFEF部であることを示す場合、次のT2フレームまで動作を停止する。
【００６４】
P2には、L1プレ(L1 PRE)、及び、L1ポスト(L1 POST)がシグナリングされる。L1プレは、L1ポストの復号を行うのに必要な情報を含む。L1ポストは、この多重化信号を受信する受信装置が、物理レイヤ（のlayer pipes）にアクセスするのに必要な情報を含む。
【００６５】
ここで、L1プレには、GI長、どのシンボル（サブキャリア）に、既知の信号であるパイロット信号が含まれるかのパイロット信号の配置を表すパイロットパターン(PP)、OFDM信号を伝送する伝送帯域の拡張の有無(BWT_EXT)、１つのT2フレームに含まれるOFDMシンボルの数(NDSYM)等が含まれる。L1プレに含まれるこれらの情報は、データ（FCを含む）のシンボルを復調するのに必要な情報となっている。
【００６６】
また、L1プレには、さらに、図１に示されるFEF length、FEF intervalといったFEF区間を正確に示す情報や、FEF_TypeといったFEFのタイプを示すFEFの関連情報も含まれている。
【００６７】
P2検出器２４は、これらのP2に含まれる情報（以下、まとめてP2情報とも称する）を取得し、取得したP2情報を、T2フレーム復調部２６に供給する。また、P2検出器２４は、取得したP2情報のうち、FEF lengthおよびFEF intervalを、FEF区間検出部２５に供給する。このとき、FEFに関するすべての情報をFEF区間検出部２５に供給するようにしてもよい。
【００６８】
FEF区間検出部２５は、P2検出器２４からのFEF lengthおよびFEF intervalに基づいて、多重化信号におけるFEF部の区間（以下、FEF区間と称する）を検出する。FEF区間検出部２５は、検出したFEF区間の情報を、T2フレーム復調部２６および情報出力端子２７に供給する。
【００６９】
T2フレーム復調部２６は、例えば、FFT演算部、等化部、および誤り訂正部などを含むように構成される。T2フレーム復調部２６は、AD変換器２２からの多重化信号のうち、FEF区間検出部２５からの情報が示すFEF区間以外がT2フレームであるとして、P1検出器２３およびP2検出器２４からの各情報を用いて、T2フレームを復調する。すなわち、T2フレームは、T2フレーム復調部２６において、FFT演算、等化、誤り訂正がなされることで、復調されて、図示せぬ後段のデコーダなどに出力される。
【００７０】
情報出力端子２７は、FEF信号処理装置１３の情報入力端子３３と接続されおり、FEF区間検出部２５により検出されたFEF区間の情報を、FEF信号処理装置１３に出力する。
【００７１】
FEF信号処理装置１３は、信号入力端子３１、AD変換器３２、情報入力端子３３、およびFEF復調部３４により構成される。
【００７２】
信号入力端子３１は、アンテナ１１からの多重化信号を入力し、AD変換器３２に供給する。AD変換器３２は、受信したアナログの多重化信号を、デジタルの多重化信号に変換し、FEF復調部３４に供給する。情報入力端子３３は、T2フレーム信号処理装置１２からのFEF区間の情報を入力し、FEF復調部３４に供給する。
【００７３】
FEF復調部３４は、AD変換器３２からの多重化信号のうち、情報入力端子３３からの情報が示すFEF区間がFEF部であるとして、FEF部を復調する。なお、FEF復調部３４は、T2フレーム復調部２６と同様に、例えば、FFT演算部、等化部、および誤り訂正部などを含むように構成されるようにしてもよい。FEF復調部３４により復調されたデータは、図示せぬ後段に出力される。
【００７４】
以上のように、図２の例において、FEF信号処理装置１３は、T2フレーム信号処理装置１２からFEF部の復調に必要なFEF区間の情報が供給されるので、FEF区間を検出するためのP1検出器、P2検出器、FEF区間検出部を備える必要がない。また、FEF信号処理装置１３は、FEF区間以外、回路動作を停止させることができる。
【００７５】
したがって、図２の信号処理システム１においては、FEF信号処理装置１３における、回路の単純化が可能となり、回路規模および消費電力の削減が可能となる。
【００７６】
［復調処理の例］
次に、図３のフローチャートを参照して、図２のT2フレーム信号処理装置１２の信号処理としての復調処理について説明する。
【００７７】
信号入力端子２１は、アンテナ１１からの多重化信号を入力し、AD変換器２２に供給する。AD変換器２２は、アンテナ１１からの多重化信号を受けると、ステップＳ１１において、AD変換を行う。AD変換器２２は、変換後のデジタルの多重化信号を、P1検出器２３、P2検出器２４、およびT2フレーム復調部２６に供給する。
【００７８】
P1検出器２３は、AD変換器２２からの多重化信号を受けると、ステップＳ１２において、多重化信号に含まれるP1を検出する。P1検出器２３は、P1情報を取得し、取得したP1情報を、P2検出器２４、およびT2フレーム復調部２６に供給する。また、P1検出器２３は、P1情報のうち、P1の位置情報を、FEF区間検出部２５に供給する。
【００７９】
P2検出器２４は、ステップＳ１３において、P1検出器２３からのP1情報の判別情報に基づいて、AD変換器２２からいま供給されている多重化信号（のフレーム）が、T2フレームであるか否かを判定する。ステップＳ１３において、T2フレームであると判定された場合、P2検出器２４は、ステップＳ１４において、P1情報に基づき、AD変換器２２からの多重化信号に含まれるP2を検出する。
【００８０】
P2検出器２４は、P2に含まれる情報を取得し、取得した情報を、T2フレーム復調部２６に供給する。また、P2検出器２４は、取得したP2情報のうち、FEF lengthおよびFEF intervalを、FEF区間検出部２５に供給する。
【００８１】
ステップＳ１５において、FEF区間検出部２５は、P1検出器２３からのP1の位置情報、並びにP2検出器２４からのFEF lengthおよびFEF intervalに基づいて、多重化信号におけるFEF区間を検出する。FEF区間検出部２５は、検出したFEF区間の情報を、T2フレーム復調部２６および情報出力端子２７に供給する。
【００８２】
ステップＳ１６において、情報出力端子２７は、FEF区間検出部２５により検出されたFEF区間の情報を、FEF信号処理装置１３に出力する。
【００８３】
ステップＳ１３において、T2フレームではないと判定された場合、P2検出器２４が動作を停止し、P2に含まれる情報がFEF区間検出部２５に供給されないので、FEF区間の情報も検出されない。すなわち、ステップＳ１３において、T2フレームではないと判定された場合、ステップＳ１４乃至Ｓ１６は、スキップされ、処理は、ステップＳ１７に進む。
【００８４】
ステップＳ１７において、T2フレーム復調部２６は、FEF区間検出部２５からの情報が示すFEF区間に基づいて、T2フレームを復調する。すなわち、T2フレーム復調部２６は、AD変換器２２からの多重化信号のうち、FEF区間検出部２５からの情報が示すFEF区間以外がT2フレームであるとして、P1検出器２３およびP2検出器２４からの各情報を用いて、T2フレームを復調する。
【００８５】
以上のように、検出されたFEF区間に基づいて、T2フレームが復調されるので、T2フレーム復調部２６においては、T2フレームの復調に対するFEF区間の影響を排除することができる。これにより、T2フレームの復調性能を向上させることができる。
【００８６】
次に、図４のフローチャートを参照して、図２のFEF信号処理装置１３の信号処理としての復調処理について説明する。
【００８７】
信号入力端子３１は、アンテナ１１からの多重化信号を入力し、AD変換器３２に供給する。AD変換器３２は、アンテナ１１からの多重化信号を受けると、ステップＳ３１において、AD変換を行う。AD変換器３２は、変換後のデジタルの多重化信号を、FEF復調部３４に供給する。
【００８８】
ここで、T2フレーム信号処理装置１２の情報出力端子２７は、T2フレーム信号処理装置１２においてP1およびP2が検出されて、FEF区間検出部２５により検出されたFEF区間の情報を、FEF信号処理装置１３に出力してくる（図３のステップＳ１６）。
【００８９】
これに対応して、情報入力端子３３は、ステップＳ３２において、T2フレーム信号処理装置１２からのFEF区間の情報を入力し、FEF復調部３４に供給する。なお、T2フレーム信号処理装置１２においてFEF区間が検出されない場合、このステップＳ３２は、スキップされる。
【００９０】
ステップＳ３３において、FEF復調部３４は、FEF区間の情報に基づいて、FEF部を復調する。すなわち、FEF復調部３４は、AD変換器２２からの多重化信号のうち、情報入力端子３３からの情報が示すFEF区間がFEF部であるとして、FEF部を復調する。
【００９１】
以上のように、T2フレーム信号処理装置１２からのFEF区間の情報に基づいて、多重化信号におけるFEF部が復調されるので、FEF復調部３４においては、FEF部の復調に対するT2フレームの影響を排除することができる。これにより、FEF部の復調性能を向上させることができる。
【００９２】
また、FEF信号処理装置１３においては、FEF区間を検出する必要がないので、FEF区間以外、回路動作を停止させることができる。
【００９３】
［信号処理システムの他の構成例］
図５は、本発明を適用した信号処理システムの第２実施の形態の構成例を示すブロック図である。なお、図５の例において、図２の場合と対応する部分については、同一の符号を付してあり、以下では、その説明は、適宜省略する。
【００９４】
図５の信号処理システム５１は、アンテナ１１、T2フレーム信号処理装置６１、およびFEF信号処理装置６２により構成される。
【００９５】
T2フレーム信号処理装置６１は、信号入力端子２１、AD変換器２２、P1検出器２３、P2検出器２４、FEF区間検出部２５、T2フレーム復調部２６、および情報出力端子２７を備える点で、図２のT2フレーム信号処理装置１２と共通する。また、T2フレーム信号処理装置６１は、信号出力端子７１が新たに設けられている点で、図２のT2フレーム信号処理装置１２と相違する。
【００９６】
FEF信号処理装置６２は、情報入力端子３３、およびFEF復調部３４を備える点で、図２のFEF信号処理装置１３と共通する。また、FEF信号処理装置６２は、信号入力端子３１、およびAD変換器３２が除かれている点、並びに、信号入力端子８１が新たに設けられている点で、図２のFEF信号処理装置１３と共通する。
【００９７】
すなわち、図５のT2フレーム信号処理装置６１においては、AD変換器２２からのデジタルの多重化信号は、P1検出器２３、P2検出器２４、およびT2フレーム復調部２６の他、信号出力端子７１にも供給される。
【００９８】
信号出力端子７１は、AD変換器２２からのデジタルの多重化信号を、FEF信号処理装置６２に出力する。信号出力端子７１から出力されたデジタルの多重化信号は、FEF信号処理装置６２の信号入力端子８１に入力される。信号入力端子８１は、入力されたデジタルの多重化信号を、FEF復調部３４に供給する。
【００９９】
FEF復調部３４は、信号入力端子８１からの多重化信号のうち、情報入力端子３３からの情報が示すFEF区間がFEF部であるとして、FEF部を復調する。
【０１００】
以上のように、図５の信号処理システム５１の場合、図２の信号処理システム１と同様に、P1検出器、P2検出器、FEF区間検出部を備える必要がないのに加えて、さらに、AD変換器を備える必要ない。
【０１０１】
したがって、図５の信号処理システム５１においては、FEF信号処理装置６２における、さらなる回路の単純化が可能となり、回路規模および消費電力のさらなる削減が可能となる。
【０１０２】
［復調処理の他の例］
次に、図６のフローチャートを参照して、図５のT2フレーム信号処理装置６１の信号処理としての復調処理について説明する。
【０１０３】
信号入力端子２１は、アンテナ１１からの多重化信号を入力し、AD変換器２２に供給する。AD変換器２２は、アンテナ１１からの多重化信号を受けると、ステップＳ６１において、AD変換を行う。AD変換器２２は、変換後のデジタルの多重化信号を、P1検出器２３、P2検出器２４、T2フレーム復調部２６、および信号出力端子７１に供給する。
【０１０４】
信号出力端子７１は、ステップＳ６２において、AD変換器２２からのデジタルの多重化信号を、FEF信号処理装置６２に出力する。
【０１０５】
なお、これ以降（ステップＳ６３乃至Ｓ６８）の処理は、図３のステップＳ１２乃至Ｓ１７と基本的に同様の処理を行うため、その詳細な説明は繰り返しになるので省略する。
【０１０６】
以上のように、図６の復調処理の場合も、検出されたFEF区間に基づいて、T2フレームが復調されるので、T2フレーム復調部２６においては、T2フレームの復調に対するFEF区間の影響を排除することができる。これにより、T2フレームの復調性能を向上させることができる。
【０１０７】
次に、図７のフローチャートを参照して、図５のFEF信号処理装置６２の信号処理としての復調処理について説明する。
【０１０８】
T2フレーム信号処理装置６１の信号出力端子７１は、T2フレーム信号処理装置６１において、アンテナ１１から入力され、AD変換器２２により変換されたデジタルの多重化信号を、FEF信号処理装置６２に出力してくる（図６のステップＳ６２）。
【０１０９】
これに対応して、信号入力端子８１は、ステップＳ８１において、デジタルの多重化信号を入力し、FEF復調部３４に供給する。
【０１１０】
なお、これ以降（ステップＳ８２およびＳ８３）の処理は、図４のステップＳ３２およびＳ３３と基本的に同様の処理を行うため、その詳細な説明は繰り返しになるので省略する。
【０１１１】
以上のように、図７の復調処理の場合も、T2フレーム信号処理装置６１からのFEF区間に基づいて、FEF部が復調されるので、FEF復調部３４においては、FEF部の復調に対するT2フレームの影響を排除することができる。これにより、FEF部の復調性能を向上させることができる。
【０１１２】
［信号処理システムの他の構成例］
図８は、本発明を適用した信号処理システムの第３実施の形態の構成例を示すブロック図である。なお、図８の例において、図２の場合と対応する部分については、同一の符号を付してあり、以下では、その説明は、適宜省略する。
【０１１３】
図８の信号処理システム１０１は、アンテナ１１、T2フレーム信号処理装置１１１、およびFEF信号処理装置１１２により構成される。
【０１１４】
T2フレーム信号処理装置１１１は、信号入力端子２１、AD変換器２２、P1検出器２３、P2検出器２４、FEF区間検出部２５、T2フレーム復調部２６、および情報出力端子２７を備える点で、図２のT2フレーム信号処理装置１２と共通する。また、T2フレーム信号処理装置１１１は、情報出力端子１２１および１２２が新たに設けられている点で、図２のT2フレーム信号処理装置１２と相違する。
【０１１５】
FEF信号処理装置１１２は、信号入力端子３１、AD変換器３２、情報入力端子３３、およびFEF復調部３４を備える点で、図２のFEF信号処理装置１３と共通する。また、FEF信号処理装置１１２は、情報入力端子１３１および１３２が新たに設けられている点で、図２のFEF信号処理装置１３と相違する。
【０１１６】
すなわち、図８のT2フレーム信号処理装置１１１においては、P1検出器２３からのP1の位置情報が、FEF区間検出部２５だけでなく、情報出力端子１２１にも供給される。また、P2検出器２４からのP2情報のうち、FEFの関連情報が、情報出力端子１２２に供給される。
【０１１７】
情報出力端子１２１は、P1検出器２３からのP1の位置情報を、FEF信号処理装置１１２の情報入力端子１３１に出力する。情報出力端子１２２は、P2検出器２４からのFEFの関連情報を、FEF信号処理装置１１２の情報入力端子１３２に出力する。
【０１１８】
情報入力端子１３１は、情報出力端子１２１からのP1の位置情報を入力し、FEF復調部３４に供給する。情報入力端子１３２は、情報出力端子１２２からのFEFの関連情報を入力し、FEF復調部３４に供給する。
【０１１９】
FEF復調部３４は、AD変換器３２からの多重化信号のうち、情報入力端子３３からの情報が示すFEF区間がFEF部であるとして、FEF部を復調する。その際、FEF復調部３４は、情報入力端子１３１からのP1の位置情報や、情報入力端子１３２からのFEFの関連情報を適宜用いる。
【０１２０】
以上のように、図８の信号処理システム１０１の場合、図２の信号処理システム１と同様に、P1検出器、P2検出器、FEF区間検出部を備える必要がない上に、FEF区間の情報の他に、P1の位置情報やFEFの関連情報も、FEF復調部３４に供給される。したがって、より確実に、FEF部の復調を行うことができる。
【０１２１】
［復調処理の他の例］
次に、図９のフローチャートを参照して、図８のT2フレーム信号処理装置１１１の信号処理としての復調処理について説明する。
【０１２２】
信号入力端子２１は、アンテナ１１からの多重化信号を入力し、AD変換器２２に供給する。AD変換器２２は、アンテナ１１からの多重化信号を受けると、ステップＳ１１１において、AD変換を行う。AD変換器２２は、変換後のデジタルの多重化信号を、P1検出器２３、P2検出器２４、およびT2フレーム復調部２６に供給する。
【０１２３】
P1検出器２３は、AD変換器２２からの多重化信号を受けると、ステップＳ１１２において、多重化信号に含まれるP1を検出する。P1検出器２３は、P1情報を取得し、取得したP1情報を、P2検出器２４、およびT2フレーム復調部２６に供給する。また、P1検出器２３は、P1情報のうち、P1の位置情報を、FEF区間検出部２５および情報出力端子１２１に供給する。
【０１２４】
情報出力端子１２１は、ステップＳ１１３において、P1検出器２３からのP1情報（T2フレーム信号処理装置１１１の場合、P1の位置情報）を、FEF信号処理装置１１２の情報入力端子１３１に出力する。
【０１２５】
P2検出器２４は、ステップＳ１１４において、P1検出器２３からのP1情報の判別情報に基づいて、AD変換器２２からいま供給されている多重化信号が、T2フレームであるか否かを判定する。ステップＳ１１４において、T2フレームであると判定された場合、P2検出器２４は、ステップＳ１１５において、P1情報に基づき、AD変換器２２からの多重化信号に含まれるP2を検出する。
【０１２６】
P2検出器２４は、P2に含まれる情報を取得し、取得した情報を、T2フレーム復調部２６に供給する。また、P2検出器２４は、取得したP2情報のうち、FEF lengthおよびFEF intervalを、FEF区間検出部２５に供給する。さらに、P2検出器２４は、P2に含まれる情報を取得し、取得した情報を、T2フレーム復調部２６に供給する。また、P2検出器２４は、取得したP2情報のうち、FEF の関連情報を、情報出力端子１３２に供給する。
【０１２７】
情報出力端子１２２は、ステップＳ１１６において、P2検出器２４からのP2情報（T2フレーム信号処理装置１１１の場合、FEFの関連情報）を、FEF信号処理装置１１２の情報入力端子１３２に出力する。
【０１２８】
ステップＳ１１７において、FEF区間検出部２５は、P2検出器２４からの情報のうち、FEF lengthおよびFEF intervalに基づいて、多重化信号におけるFEF区間を検出する。FEF区間検出部２５は、検出したFEF区間の情報を、T2フレーム復調部２６および情報出力端子２７に供給する。
【０１２９】
ステップＳ１１８において、情報出力端子２７は、FEF区間検出部２５により検出されたFEF区間の情報を、FEF信号処理装置１３に出力する。
【０１３０】
ステップＳ１１４において、T2フレームではないと判定された場合、P2検出器２４が動作を停止し、P2に含まれる情報がFEF区間検出部２５に供給されないので、FEF区間の情報も検出されない。すなわち、ステップＳ１１４において、T2フレームではないと判定された場合、ステップＳ１１５乃至Ｓ１１８は、スキップされ、処理は、ステップＳ１１９に進む。
【０１３１】
ステップＳ１１９において、T2フレーム復調部２６は、T2フレームを復調する。すなわち、T2フレーム復調部２６は、AD変換器２２からの多重化信号のうち、FEF区間検出部２５からの情報が示すFEF区間以外がT2フレームであるとして、P1検出器２３およびP2検出器２４からの各情報を用いて、T2フレームを復調する。
【０１３２】
以上のように、図９の復調処理の場合も、検出されたFEF区間に基づいて、T2フレームが復調されるので、T2フレーム復調部２６においては、T2フレームの復調に対するFEF区間の影響を排除することができる。これにより、T2フレームの復調性能を向上させることができる。
【０１３３】
次に、図１０のフローチャートを参照して、図８のFEF信号処理装置１１２の信号処理としての復調処理について説明する。
【０１３４】
信号入力端子３１は、アンテナ１１からの多重化信号を入力し、AD変換器３２に供給する。AD変換器３２は、アンテナ１１からの多重化信号を受けると、ステップＳ１３１において、AD変換を行う。AD変換器３２は、変換後のデジタルの多重化信号を、T2フレーム復調部２６に供給する。
【０１３５】
ここで、T2フレーム信号処理装置１１１の情報出力端子１２１は、検出されたP1情報（のうちのP1の位置情報）をFEF信号処理装置１１２に出力してくる（図９のステップＳ１１３）。これに対応して、情報入力端子１３１は、ステップＳ１３２において、T2フレーム信号処理装置１１１からP1情報（FEF信号処理装置１１２の場合、そのうちのP1の位置情報）を入力し、FEF復調部３４に供給する。
【０１３６】
また、T2フレーム信号処理装置１１１の情報出力端子１２２は、検出されたP2情報（のうちのFEFの関連情報）をFEF信号処理装置１１２に出力してくる（図９のステップＳ１１６）。これに対応して、情報入力端子１３２は、ステップＳ１３３において、T2フレーム信号処理装置１１１から、P2情報（FEF信号処理装置１１２の場合、そのうちのFEFの関連情報）を入力し、FEF復調部３４に供給する。
【０１３７】
さらに、T2フレーム信号処理装置１１１の情報出力端子２７は、T2フレーム信号処理装置１１１のFEF区間検出部２５により検出されたFEF区間の情報を、FEF信号処理装置１１２に出力してくる（図９のステップＳ１１８）。これに対応して、情報入力端子３３は、ステップＳ３２において、T2フレーム信号処理装置１１１からのFEF区間の情報を入力し、FEF復調部３４に供給する。
【０１３８】
なお、T2フレーム信号処理装置１１１においてP1情報に基づいていまのフレームがFEF部ではないとされた場合、ステップＳ１３３およびＳ１３４は、スキップされる。
【０１３９】
ステップＳ１３５において、FEF復調部３４は、AD変換器３２からの多重化信号のうち、情報入力端子３３からの情報が示すFEF区間がFEF部であるとして、FEF部を復調する。その際、FEF復調部３４は、情報入力端子１３１からのP1の位置情報や、情報入力端子１３２からのFEFの関連情報を適宜用いる。
【０１４０】
以上のように、T2フレーム信号処理装置１１１からのFEF区間だけでなく、情報入力端子１３１からのP1の位置情報や、情報入力端子１３２からのFEFの関連情報に基づいても、FEF部が復調される。これにより、FEF復調部３４においては、FEF部の復調に対するT2フレームの影響を排除することができるので、FEF部の復調性能を向上させることができる。
【０１４１】
［信号処理システムの他の構成例］
図１１は、本発明を適用した信号処理システムの第４実施の形態の構成例を示すブロック図である。なお、図１１の例において、図２の場合と対応する部分については、同一の符号を付してあり、以下では、その説明は、適宜省略する。
【０１４２】
図１１の信号処理システム１５１は、アンテナ１１、T2フレーム信号処理装置１６１、およびFEF信号処理装置１６２により構成される。
【０１４３】
T2フレーム信号処理装置１６１は、信号入力端子２１、AD変換器２２、およびT2フレーム復調部２６を備える点で、図２のT2フレーム信号処理装置１２と共通する。また、T2フレーム信号処理装置１６１は、P1検出器２３、P2検出器２４、FEF区間検出部２５、および情報出力端子２７が除かれている点、並びに情報入力端子１７１乃至１７３が新しく追加されている点で、図２のT2フレーム信号処理装置１２と相違する。
【０１４４】
FEF信号処理装置１６２は、信号入力端子３１、AD変換器３２、およびFEF復調部３４を備える点で、図２のFEF信号処理装置１３と共通する。また、FEF信号処理装置１６２は、P1検出器１８１、P2検出器１８２、FEF区間検出部１８３、および情報出力端子１８４乃至１８６が新たに設けられている点で、図２のFEF信号処理装置１３と共通する。
【０１４５】
すなわち、T2フレーム信号処理装置１６１において、AD変換器２２は、受信したアナログの多重化信号を、デジタルの多重化信号に変換し、T2フレーム復調部２６に供給する。
【０１４６】
T2フレーム復調部２６は、AD変換器２２からの多重化信号のうち、情報入力端子１７３からの情報が示すFEF区間以外がT2フレームであるとして、情報入力端子１７１および１７２からの各情報を用いて、T2フレームを復調する。
【０１４７】
情報入力端子１７１は、FEF信号処理装置１６２の情報出力端子１８４からのP1情報を入力し、T2フレーム復調部２６に供給する。情報入力端子１７２は、FEF信号処理装置１６２の情報出力端子１８５からのP2情報を入力し、T2フレーム復調部２６に供給する。情報入力端子１７３は、FEF信号処理装置１６２の情報出力端子１８６からのFEF区間の情報を入力し、T2フレーム復調部２６に供給する。
【０１４８】
一方、FEF信号処理装置１６２において、AD変換器３２は、信号入力端子３１からのアナログの多重化信号を、デジタルの多重化信号に変換し、P1検出器１８１、P2検出器１８２、およびFEF復調部３４に供給する。
【０１４９】
P1検出器１８１は、図２のP1検出器２３と同様に、AD変換器３２からの多重化信号に含まれるP1を検出する。P1検出器１８１は、P1に含まれる情報およびP1の位置情報からなるP1情報を取得し、取得したP1情報を、P2検出器１８２、および情報出力端子１８４に供給する。また、P1検出器１８１は、P1の位置情報を、FEF区間検出部１８３およびFEF復調部３４に供給する。
【０１５０】
P2検出器１８２は、図２のP2検出器２４と同様に、P1に含まれる判別情報がT2フレームであることを示す場合、P1に含まれる復調処理に必要な情報に基づき、AD変換器３２からの多重化信号に含まれるP2を検出する。
【０１５１】
P2検出器１８２は、P2情報を取得し、取得したP2情報を、情報出力端子１８５に供給する。また、P2検出器１８２は、取得したP2情報のうち、FEF lengthおよびFEF intervalを、FEF区間検出部１８３に供給する。P2検出器１８２は、取得したP2情報のうち、FEFの関連情報を、FEF復調部３４に供給する。なお、P2検出器１８２も、図２のP2検出器２４と同様に、P1に含まれる判別情報がFEF部であることを示す場合、次のT2フレームまで動作を停止する。
【０１５２】
FEF区間検出部１８３は、図２のFEF区間検出部２５と同様に、P2検出器２４からのFEF lengthおよびFEF intervalに基づいて、多重化信号におけるFEF区間を検出する。FEF区間検出部１８３は、検出したFEF区間の情報を、FEF復調部３４および情報出力端子１８６に供給する。
【０１５３】
FEF復調部３４は、AD変換器３２からの多重化信号のうち、FEF区間検出部１８３からの情報が示すFEF区間がFEF部であるとして、FEF部を復調する。その際、FEF復調部３４は、P1検出器１８１からのP1の位置情報や、P2検出器１８２からのFEFの関連情報を適宜用いる。
【０１５４】
情報出力端子１８４は、P1検出器１８１からのP1情報を、T2フレーム信号処理装置１６１の情報入力端子１７１に出力する。情報出力端子１８５は、P2検出器１８２からのP2情報を、T2フレーム信号処理装置１６１の情報入力端子１７２に出力する。情報出力端子１８６は、FEF区間検出部１８３からのFEF区間の情報を、T2フレーム信号処理装置１６１の情報入力端子１７３に出力する。
【０１５５】
以上のように、図１１のFEF信号処理装置１６２に備えられるP1検出器１８１、P2検出器１８２、およびFEF区間検出部１８３は、図２のT2フレーム信号処理装置１２のP1検出器２３、P2検出器２４、およびFEF区間検出部２５にそれぞれ相当する。
【０１５６】
すなわち、図１１の信号処理システム１５１のFEF信号処理装置１６２は、図８の信号処理システム１０１におけるT2フレーム信号処理装置１１１のT2フレーム復調部２６をFEF復調部３４に入れ替えたものと同等である。また、図１１の信号処理システム１５１のT2フレーム信号処理装置１６１は、図８の信号処理システム１０１におけるFEF信号処理装置１６１のFEF復調部３４をT2フレーム復調部２６に入れ替えたものと同等である。
【０１５７】
したがって、T2フレーム信号処理装置１６１の復調処理は、図１０のステップＳ１３５の復調処理が、T2フレームの復調処理となることが異なるだけで、その他の点は、図１０の復調処理と基本的に同様の処理を行うため、その説明を省略する。
【０１５８】
また、FEF信号処理装置１６２の復調処理は、図９のステップＳ１１９の復調処理が、FEFの復調処理となることが異なるだけで、その他の点は、図９の復調処理と基本的に同様の処理を行うため、その説明を省略する。
【０１５９】
以上のように、図１１の例において、T2フレーム信号処理装置１１１には、FEF信号処理装置１６２からT2フレームの復調に必要なP1情報、P2情報、およびFEF区間の情報が供給される。よって、T2フレーム信号処理装置１１１は、それらの情報を検出するためのP1検出器、P2検出器、FEF区間検出部を備える必要がない。また、T2フレーム信号処理装置１１１は、FEF区間において、回路動作を停止させることができる。
【０１６０】
したがって、図１１の信号処理システム１においては、T2フレーム信号処理装置１１１における、回路の単純化が可能となり、回路規模および消費電力の削減が可能となる。
【０１６１】
［信号処理装置の他の構成例］
図１２は、本発明を適用した信号処理システムの第５実施の形態の構成例を示すブロック図である。なお、図１２の例において、図２の場合と対応する部分については、同一の符号を付してあり、以下では、その説明は、適宜省略する。
【０１６２】
図１２には、信号処理システムとしての、信号処理装置２０１が示されている。図１２の信号処理装置２０１は、T2フレームおよびFEF部の多重化信号を受信し、その多重化信号から、T2フレームおよびFEF部をそれぞれ取り出す処理を行う。すなわち、信号処理装置２０１には、その装置内に、T2フレームを受信する機能であるT2フレーム信号処理ブロック２１３と、FEF部を受信する機能であるFEF信号処理ブロック２１４が備えられている。
【０１６３】
図１２の信号処理装置２０１は、アンテナ１１、信号入力端子２１１、AD変換器２１２、T2フレーム信号処理ブロック２１３、およびFEF信号処理ブロック２１４で構成されている。
【０１６４】
信号入力端子２１１は、アンテナ１１からの多重化信号を入力し、AD変換器２２に供給する。AD変換器２２は、受信したアナログの多重化信号を、デジタルの多重化信号に変換し、T2フレーム信号処理ブロック２１３、およびFEF信号処理ブロック２１４に供給する。
【０１６５】
T2フレーム信号処理ブロック２１３は、AD変換器２２からの多重化信号から、P1、P2、FEF区間を検出し、検出したFEF区間の情報を、FEF信号処理ブロック２１４に出力する。また、T2フレーム信号処理ブロック２１３は、検出したP1、P2、FEF区間の情報を用いて、T2フレームを復調する。復調されたT2フレームは、例えば、図示せぬ後段のデコーダなどに出力される。
【０１６６】
すなわち、T2フレーム信号処理ブロック２１３は、P1検出器２３、P2検出器２４、FEF区間検出部２５、T2フレーム復調部２６、および情報出力端子２７を備える点で、図２のT2フレーム信号処理装置１２と共通する。また、T2フレーム信号処理ブロック２１３は、AD変換器２２が除かれている点で、図２のT2フレーム信号処理装置１２と相違する。
【０１６７】
FEF信号処理ブロック２１４は、AD変換器２２からの多重化信号のうち、T2フレーム信号処理ブロック２１３からの情報が示すFEF区間がFEF部であるとして、FEF部を復調する。FEF部のデータは、例えば、図示せぬ後段のデコーダなどに出力される。
【０１６８】
すなわち、FEF信号処理ブロック２１４は、信号入力端子３１、情報入力端子３３、およびFEF復調部３４を備える点で、図２のFEF信号処理装置１３と共通する。また、FEF信号処理ブロック２１４は、AD変換器３２が除かれている点で、図２のFEF信号処理装置１３と相違する。
【０１６９】
なお、T2フレーム信号処理ブロック２１３の復調処理は、図３のステップＳ１１のAD変換処理が除かれることが異なるだけで、その他の点は、図３の復調処理と基本的に同様の処理を行うため、その説明を省略する。
【０１７０】
また、FEF信号処理ブロック２１４の復調処理は、図４のステップＳ３１のAD変換処理が除かれることが異なるだけで、その他の点は、図４の復調処理と基本的に同様の処理を行うため、その説明を省略する。
【０１７１】
以上のように、本発明の信号処理システムは、T2フレームを受信する機能とFEF部を受信する機能を両方有した１つの装置として構成することもできる。
【０１７２】
なお、上記説明においては、アナログ信号を受信する例を説明してきたが、デジタル信号を受信する場合には、各装置は、AD変換器が除かれる構成となることが異なるだけであり、その他は同様に構成される。
【０１７３】
また、上記説明においては、T2フレームとFEF部が多重化された多重化信号が受信される例を説明したが、本発明は、T2フレームとFEF部に限定されず、また、多重化される信号は２つに限定されない。すなわち、本発明は、異なる構造を有する複数の信号が多重化された多重化信号を受信し、各信号を取り出す装置に適用することができる。
【０１７４】
＜２．第２の実施の形態＞
［受信システムの構成例］
次に、図１３は、本発明を適用した受信システムの第１実施の形態の構成例を示すブロック図である。
【０１７５】
図１３において、受信システムは、取得部３０１、伝送路復号処理部３０２、及び、情報源復号処理部３０３から構成される。
【０１７６】
テレビジョン放送の番組等のデータを、OFDMで変調したOFDM信号を取得する。このOFDM信号は、図１に示されるように、T2フレームとFEF部が多重化されて送信されてくる多重化信号である。
【０１７７】
すなわち、例えば、図示せぬ放送局や、webサーバが、多重化信号を送信するようになっており、取得部３０１は、その多重化信号を取得する。
【０１７８】
取得部３０１は、例えば、地上デジタル放送、衛星デジタル放送、CATV (Cable Television)網、インターネットその他のネットワーク等の、図示せぬ伝送路を介して、多重化信号を取得し、伝送路復号処理部３０２に供給する。
【０１７９】
多重化信号が、例えば、放送局から、地上波や、衛星波、CATV網等を介して放送されてくる場合には、取得部３０１は、チューナやSTB等で構成される。また、多重化信号が、例えば、webサーバから、IPTV(Internet Protocol Television)のようにマルチキャストで送信されてくる場合には、取得部３０１は、例えば、NIC(Network Interface Card)等のネットワークI/Fで構成される。
【０１８０】
伝送路復号処理部３０２は、取得部３０１が伝送路を介して取得した信号に対して、FFT演算や等化など、復調する処理を少なくとも含む伝送路復号処理を施し、その結果得られる信号を、情報源復号処理部３０３に供給する。
【０１８１】
すなわち、取得部３０１が伝送路を介して取得した信号は、伝送路特性の影響を受けて歪んだ状態で得られた信号であり、伝送路復号処理部３０２は、そのような信号に対して、例えば、FFT演算や等化等の復調処理を施す。
【０１８２】
また、伝送路復号処理には、伝送路で生じる誤りを訂正する処理等が含まれることがある。例えば、誤り訂正符号化としては、例えば、LDPC符号化や、リードソロモン符号化等がある。
【０１８３】
情報源復号処理部３０３は、伝送路復号処理が施された信号に対して、圧縮された情報を元の情報に伸張する処理を少なくとも含む情報源復号処理を施す。
【０１８４】
すなわち、取得部３０１が伝送路を介して取得した信号には、情報としての画像や音声等のデータ量を少なくするために、情報を圧縮する圧縮符号化が施されていることがある。この場合、情報源復号処理部３０３は、伝送路復号処理が施された信号に対して、圧縮された情報を元の情報に伸張する処理(伸張処理）等の情報源復号処理を施す。
【０１８５】
なお、取得部３０１が伝送路を介して取得した信号に、圧縮符号化が施されていない場合には、情報源復号処理部３０３では、圧縮された情報を元の情報に伸張する処理は行われない。
【０１８６】
ここで、伸張処理としては、例えば、MPEGデコード等がある。また、伝送路復号処理には、伸張処理の他、デスクランブル等が含まれることがある。
【０１８７】
以上のように構成される受信システムでは、取得部３０１において、例えば、画像や音声等のデータに対して、MPEG符号化等の圧縮符号化が施され、さらに、誤り訂正符号化が施された信号が、伝送路を介して取得され、伝送路復号処理部３０２に供給される。
【０１８８】
伝送路復号処理部３０２では、取得部３０１からの信号に対して、図２、図５、図８、図１１、または図１２の復調装置としての信号処理システムを構成する信号処理装置の少なくとも１つの装置と同様の復調処理が、伝送路復号処理として施される。そして、その結果得られる信号が、情報源復号処理部３０３に供給される。
【０１８９】
情報源復号処理部３０３では、伝送路復号処理部３０２からの信号に対して、MPEGデコード等の情報源復号処理が施され、その結果得られる画像、又は音声が出力される。
【０１９０】
以上のような図１３の受信システムは、例えば、デジタル放送としてのテレビジョン放送を受信するテレビチューナ等に適用することができる。
【０１９１】
なお、取得部３０１、伝送路復号処理部３０２、および、情報源復号処理部３０３は、それぞれ、１つの独立した装置（ハードウエア（IC(Integrated Circuit)等））、又はソフトウエアモジュール）として構成することが可能である。
【０１９２】
また、取得部３０１、伝送路復号処理部３０２、および情報源復号処理部３０３については、取得部３０１と伝送路復号処理部３０２とのセットや、伝送路復号処理部３０２と情報源復号処理部３０３とのセット、取得部３０１、伝送路復号処理部３０２、および情報源復号処理部３０３のセットを、１つの独立した装置として構成することが可能である。
【０１９３】
図１４は、本発明を適用した受信システムの第２実施の形態の構成例を示すブロック図である。
【０１９４】
なお、図中、図１３の場合と対応する部分については、同一の符号を付してあり、以下では、その説明は、適宜省略する。
【０１９５】
図１４の受信システムは、取得部３０１、伝送路復号処理部３０２、及び、情報源復号処理部３０３を有する点で、図１３の場合と共通し、出力部３１１が新たに設けられている点で、図１５の場合と相違する。
【０１９６】
出力部３１１は、例えば、画像を表示する表示装置や、音声を出力するスピーカであり、情報源復号処理部３０３から出力される信号としての画像や音声等を出力する。すなわち、出力部３１１は、画像を表示し、あるいは、音声を出力する。
【０１９７】
以上のような図１４の受信システムは、例えば、デジタル放送としてのテレビジョン放送を受信するTVや、ラジオ放送を受信するラジオ受信機等に適用することができる。
【０１９８】
なお、取得部３０１において取得された信号に、圧縮符号化が施されていない場合には、伝送路復号処理部３０２が出力する信号が、出力部３１１に供給される。
【０１９９】
図１５は、本発明を適用した受信システムの第３実施の形態の構成例を示すブロック図である。
【０２００】
なお、図中、図１３の場合と対応する部分については、同一の符号を付してあり、以下では、その説明は、適宜省略する。
【０２０１】
図１５の受信システムは、取得部３０１、及び、伝送路復号処理部３０２を有する点で、図１３の場合と共通する。
【０２０２】
但し、図１５の受信システムは、情報源復号処理部３０３が設けられておらず、記録部３２１が新たに設けられている点で、図１３の場合と相違する。
【０２０３】
記録部３２１は、伝送路復号処理部３０２が出力する信号（例えば、MPEGのTSのTSパケット）を、光ディスクや、ハードディスク（磁気ディスク）、フラッシュメモリ等の記録（記憶）媒体に記録する（記憶させる）。
【０２０４】
以上のような図１５の受信システムは、テレビジョン放送を録画するレコーダ等に適用することができる。
【０２０５】
なお、図１５において、受信システムは、情報源復号処理部３０３を設けて構成し、情報源復号処理部３０３で、情報源復号処理が施された後の信号、すなわち、デコードによって得られる画像や音声を、記録部３２１で記録することができる。
【０２０６】
以上、本発明を、DVB-T.2のT2フレームとFEFが多重化されて送信されてくるOFDM信号を受信する受信装置に適用した場合について説明したが、本発明は、その他、例えば、複数の異なる構造の信号が多重化されて送信されてくる信号を受信するどのような装置にも適用可能である。
【０２０７】
上述した一連の処理は、ハードウエアにより実行することもできるし、ソフトウエアにより実行することもできる。一連の処理をソフトウエアにより実行する場合には、そのソフトウエアを構成するプログラムが、コンピュータにインストールされる。ここで、コンピュータには、専用のハードウエアに組み込まれているコンピュータや、各種のプログラムをインストールすることで、各種の機能を実行することが可能な汎用のパーソナルコンピュータなどが含まれる。
【０２０８】
図１６は、上述した一連の処理をプログラムにより実行するコンピュータのハードウエアの構成例を示すブロック図である。
【０２０９】
コンピュータにおいて、CPU(Central Processing Unit)４０１、ROM(Read Only Memory)４０２、RAM(Random Access Memory)４０３は、バス４０４により相互に接続されている。
【０２１０】
バス４０４には、さらに、入出力インタフェース４０５が接続されている。入出力インタフェース４０５には、入力部４０６、出力部４０７、記憶部４０８、通信部４０９、およびドライブ４１０が接続されている。
【０２１１】
入力部４０６は、キーボード、マウス、マイクロフォンなどよりなる。出力部４０７は、ディスプレイ、スピーカなどよりなる。記憶部４０８は、ハードディスクや不揮発性のメモリなどよりなる。通信部４０９は、ネットワークインタフェースなどよりなる。ドライブ４１０は、磁気ディスク、光ディスク、光磁気ディスク、又は半導体メモリなどのリムーバブルメディア４１１を駆動する。
【０２１２】
以上のように構成されるコンピュータでは、CPU４０１が、例えば、記憶部４０８に記憶されているプログラムを入出力インタフェース４０５およびバス４０４を介してRAM４０３にロードして実行することにより、上述した一連の処理が行われる。
【０２１３】
コンピュータ（CPU４０１）が実行するプログラムは、例えば、パッケージメディア等としてのリムーバブルメディア４１１に記録して提供することができる。また、プログラムは、ローカルエリアネットワーク、インターネット、デジタル放送といった、有線または無線の伝送媒体を介して提供することができる。
【０２１４】
コンピュータでは、プログラムは、リムーバブルメディア４１１をドライブ４１０に装着することにより、入出力インタフェース４０５を介して、記憶部４０８にインストールすることができる。また、プログラムは、有線または無線の伝送媒体を介して、通信部４０９で受信し、記憶部４０８にインストールすることができる。その他、プログラムは、ROM４０２や記憶部４０８に、あらかじめインストールしておくことができる。
【０２１５】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０２１６】
本発明の実施の形態は、上述した実施の形態に限定されるものではなく、本発明の要旨を逸脱しない範囲において種々の変更が可能である。
【符号の説明】
【０２１７】
１  信号処理システム，  １２  T2フレーム信号処理装置，  １３  FEF信号処理装置，  ２１  信号入力端子，  ２３  P1検出器，  ２４  P2検出器，  ２５  FEF区間検出部，  ２６  T2フレーム復調部，  ２７  情報出力端子，  ３１  信号入力端子，  ３３  情報入力端子，  ３４  FEF復調部，  ５１  信号処理システム，  ６１  T2フレーム信号処理装置，  ６２  FEF信号処理装置，  ７１  信号出力端子,  ８１  信号入力端子，  １０１  信号処理システム,   １１１  T2フレーム信号処理装置，  １１２  FEF信号処理装置，  １２１，１２２  情報出力端子,  １３１，１３２  情報入力端子，１５１  信号処理システム，  １６１  T2フレーム信号処理装置，  １６２  FEF信号処理装置，１７１乃至１７３  情報入力端子,   １８１  P1検出器，  １８２  P2検出器，  １８３  FEF区間検出部，  １８４乃至１８６  情報出力端子,  ２０１  信号処理装置，  ２１１  T2フレーム信号処理ブロック，  ２１２  FEF信号処理ブロック，３０１  取得部，  ３０２  伝送路復号処理部，  ３０３  情報源復号処理部，  ３１１  出力部，  ３２１  記録部
【図１】
2011041086.tif 000003
【図２】
2011041086.tif 000004
【図３】
2011041086.tif 000005
【図４】
2011041086.tif 000006
【図５】
2011041086.tif 000007
【図６】
2011041086.tif 000008
【図７】
2011041086.tif 000009
【図８】
2011041086.tif 000010
【図９】
2011041086.tif 000011
【図１０】
2011041086.tif 000012
【図１１】
2011041086.tif 000013
【図１２】
2011041086.tif 000014
【図１３】
2011041086.tif 000015
【図１４】
2011041086.tif 000016
【図１５】
2011041086.tif 000017
【図１６】
2011041086.tif 000018